(57)【要約】    【課題】  太陽光を効果的に取得して良好な太陽光発電を可能にする太陽光発電システム補助装置を提供することである。    【解決手段】  本発明の太陽光発電システム補助装置は、太陽電池モジュールが配置された家屋の屋根の第１の適所に配置された１又は複数の第１太陽光反射体を備えていることを特徴とする。好ましくは、太陽光発電システム補助装置は、屋根の第２の適所又は地面の適所に配置された１又は複数の第２太陽光反射体を更に備えている。また、好ましくは、太陽光発電システム補助装置は、第１太陽光反射体及び／又は第２太陽光反射体の取付角度を調整するための取付角度調整機構を更に備えている。【選択図】  図１
2009295663.tif 000002
【特許請求の範囲】
【請求項１】
太陽光発電システム補助装置であって、
太陽電池モジュールが配置された家屋の屋根の第１の適所に配置された１又は複数の第１太陽光反射体を備えていることを特徴とする装置。
【請求項２】
前記屋根の第２の適所又は地面の適所に配置された１又は複数の第２太陽光反射体を更に備えていることを特徴とする請求項１に記載の装置。
【請求項３】
前記第１太陽光反射体及び／又は前記第２太陽光反射体の取付角度を調整するための取付角度調整機構を更に備えていることを特徴とする請求項１又は２に記載の装置。
【発明の詳細な説明】
【技術分野】
【０００１】
本発明は一般に、太陽光発電システム補助装置に関する。より詳細には、本発明は、効率的な太陽光発電を可能にする太陽光発電システム補助装置に関する。
【背景技術】
【０００２】
石油や石炭は限られた資源であるとともに、これらの化石燃料を使用する火力発電は、地球温暖化の一因となっている二酸化炭素を排出する。一方、太陽光発電は、太陽光を利用する無限の資源であり、二酸化炭素を排出しないクリーンなエネルギー源として脚光を浴びている。
【発明の開示】
【発明が解決しようとする課題】
【０００３】
しかしながら、太陽光発電は、天候、季節、地域などの要因によっては十分な太陽光が得られない場合があるため、発電効率が良くないという課題がある。
【０００４】
本発明は、このような状況に鑑みて開発されたものであって、太陽光を効果的に取得して良好な太陽光発電を可能にする太陽光発電システム補助装置を提供するものである。
【課題を解決するための手段】
【０００５】
本願請求項１に記載の太陽光発電システム補助装置は、太陽電池モジュールが配置された家屋の屋根の第１の適所に配置された１又は複数の第１太陽光反射体を備えていることを特徴とするものである。
【０００６】
本願請求項２に記載の太陽光発電システム補助装置は、前記請求項１の装置において、前記屋根の第２の適所又は地面の適所に配置された１又は複数の第２太陽光反射体を更に備えていることを特徴とするものである。
【０００７】
本願請求項３に記載の太陽光発電システム補助装置は、前記請求項１又は２の装置において、前記第１太陽光反射体及び／又は前記第２太陽光反射体の取付角度を調整するための取付角度調整機構を更に備えていることを特徴とするものである。
【発明の効果】
【０００８】
本発明によれば、天候、季節、地域などの要因によって十分な太陽光を得にくい場合であっても、太陽光を効果的に取得して良好な太陽光発電を行うことができる。本発明の太陽光発電システム補助装置は、構造が簡単であるため、製造コストが廉価である。また、本発明の太陽光発電システム補助装置は、いずれの型式の太陽電池モジュールにも対応することができる。さらに、本発明の太陽光発電システム補助装置は、融雪にも活用することができる。
【発明を実施するための最良の形態】
【０００９】
次に図面を参照して、本発明の好ましい実施の形態に係る太陽光発電システム補助装置について説明する。図１は、本発明の好ましい実施の形態に係る太陽光発電システム補助装置を模式的に示した図、図２は、図１の装置の平面図である。
【００１０】
本発明の太陽光発電システム補助装置は、屋根の頂部（棟）に取り付けられた第１太陽光反射体１０を備えている。第１太陽光反射体１０は、屋根の頂部に反射板を取り付けることによって形成されている（図２に示す例では、４基の反射板が屋根の頂部に取り付けられている）。
【００１１】
図３は、種々の形態の反射板を示した図である。図１および図２では、反射板が平板状のパネルとして示されているが、反射板を凹面状の形状（図３（ａ）〜図３（ｃ）参照）を有するように形作ってもよいし、複数の平面板で構成される角錐状の形状（図３（ｄ）〜図３（ｆ）参照）を有するように形作ってもよい。或いは、太陽光を乱反射させることができるように、パネルに複数の凸面部を設けたもの（図３（ｇ）参照）、凹面部を設けたもの（図３（ｈ）参照）、又は凸面部と凹面部を設けたもの（図３（ｉ）参照）を反射板として用いてもよい。また、反射板は、ステンレス等の金属や鏡等の他、反射性能の良好な他の材料を使用して形成してもよい。
【００１２】
本発明の太陽光発電システム補助装置は又、屋根の先端（軒）に取り付けられた第２太陽光反射体１２を備えている。第２太陽光反射体１２も、屋根の先端に反射板を取り付けることによって形成されている（図２に示す例では、４基の反射板が屋根の先端に取り付けられている）。
【００１３】
第２太陽光反射体１２も、第１太陽光反射体１０と同様に、種々の形態の反射板を使用してよいし、また、種々の適当な材料を用いて形成してよい。
【００１４】
好ましくは、第１太陽光反射体１０及び／又は第２太陽光反射体１２は、屋根に対する取付角度を調整する取付角度調整機構１４を備えている。図４は、取付角度調整機構１４の一例を示した拡大図である。図４に示される取付角度調整機構１４は、太陽光反射体１０の下端に隣接して配置された弧状開口部１４ａ１付きの案内板１４ａと、太陽光反射板１０の側部に設けられ、案内板１４ａの弧状開口部１４ａ１に沿って摺動するようになった固定ボルト１４ｂとを有している。取付角度調整機構１４が設けられる場合には、第１太陽光反射体１０及び／又は第２太陽光反射体１２は、下端においてヒンジ１０ａ（図４参照。第２太陽光反射体１２のヒンジは図示せず）を介して屋根に回転可能に取付けられている。かかる構成により、第１太陽光反射体１０及び／又は第２太陽光反射体１２を所望の角度に調整して固定ボルト１４ｂを締め付けることにより、効率的な太陽光の取得が可能となるように第１太陽光反射体１０及び／又は第２太陽光反射体１２を配置することができる。
【００１５】
太陽光発電システム補助装置の使用に際しては、太陽電池モジュールに太陽光が最も良好に収斂するように第１太陽光反射体１０及び／又は第２太陽光反射体１２の角度を調整する。太陽光は、第１太陽光反射体１０及び／又は第２太陽光反射体１２で反射されて太陽電池モジュールに収斂する。或いは、第１太陽光反射体１０によって反射した太陽光が第２太陽光反射体で再度反射されて太陽電池モジュールに収斂する。これらにより、良好な太陽光発電が可能になる。また、太陽光が第１太陽光反射体１０及び／又は第２太陽光反射体１２で反射されることにより、太陽電池モジュールの周囲が明るくなり、これによっても、良好な太陽光発電が可能になる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
たとえば、前記実施の形態では、第１太陽光反射体１０が屋根の頂部に配置されているが、屋根上の他の適所に配置してもよい。また、第２太陽光反射体１１が屋根の先端に配置されているが、屋根上の他の適所又は地面の適所に配置してもよい。
【００１８】
また、前記実施の形態では、第１太陽光反射体１０と第２太陽光反射体１２が配置されているが、第１太陽光反射体１０のみを配置してもよい。
【００１９】
また、前記実施の形態では、図４に示した取付角度調整機構１４は単なる一例にすぎず、同様の効果を奏する他の構成にしてもよい。また、図４に示した取付角度調整機構１４では、手動により角度調整が行われるが、機械的又は電気的な手段を用いて角度調整できるように構成してもよい。
【００２０】
さらに、太陽光反射体を屋根又は地上の適所に配置し、太陽光反射体で反射させた輻射熱を利用して融雪を行ってもよい。
【図面の簡単な説明】
【００２１】
【図１】本発明の好ましい実施の形態に係る太陽光発電システム補助装置を模式的に示した図である。
【図２】図１の太陽光発電システム補助装置の平面図である。
【図３】種々の形態の太陽光反射体を示した図である。
【図４】図１の部分４の拡大図であって、取付角度調整機構を示した図である。
【符号の説明】
【００２２】
１０  第１太陽光反射体
１２  第２太陽光反射体
１４  取付角度調整機構
１４ａ  案内板
１４ｂ  固定ボルト
【図１】
2009295663.tif 000003
【図２】
2009295663.tif 000004
【図３】
2009295663.tif 000005
【図４】
2009295663.tif 000006